(57)【特許請求の範囲】
【請求項１】
ガスメータに接続される機器を配管に取り付けるための取付具において、
矩形の平板状に形成された平板部と、
前記平板部の幅方向に間隔をあけて設けられかつ当該平板部の幅方向と長手方向が平行な一対の長孔を有した配管固定部と、
内側に前記配管を通しかつ両端部が前記配管固定部の前記長孔内に通されて締結部材が締結される固定具と、
前記平板部の隅部に設けられかつ前記ガスメータに接続される機器と接続した電線を固定する電線固定部と、を備え、
前記配管固定部が、前記平板部の長手方向の両端部に設けられていることを特徴とする取付具。
【請求項２】
前記平板部に設けられかつ前記ガスメータに接続される機器を前記平板部に固定する機器固定部を備え、
前記機器固定部が、前記配管固定部の前記一対の長孔間の中心を通る線分から間隔をあけた位置に設けられていることを特徴とする請求項１記載の取付具。
【請求項３】
前記機器固定部が、前記平板部から立設しかつ内周面にねじ溝が形成された円筒状のバーリングを備えていることを特徴とする請求項２記載の取付具。
【発明の詳細な説明】
【技術分野】
【０００１】
本発明は、ガスメータコントローラなどのガスメータに接続される機器を配管に取り付ける取付具に関する。
【背景技術】
【０００２】
電子式のガスメータが検出したガス流量やガスの流量異常などのセキュリティ情報をガスメーカ（会社）に通報するガスメータに接続される機器としてのガスメータコントローラが、従来から用いられている。この種のガスメータコントローラは、建造物の屋外に配置されかつ当該建造物に設置されるガスの配管に取り付けられることが多い。
【０００３】
このガスメータコントローラを配管に取り付けるために、従来から種々の取付具（例えば、特許文献１及び特許文献２参照）が用いられてきた。これらの特許文献に示された取付具は、板金の曲げ加工が施されて得られる。取付具は、ガスメータ取付部と、当該ガスメータ取付部に連なったコントローラ取付部とを一体に備えている。ガスメータ取付部は、ガスメータに取り付けられるとともに、当該ガスメータに連結された入口管と出口管に取り付けられる。コントローラ取付部は、その表面上にガスメータコントローラが取り付けられる。
【特許文献１】実開平５−７５６２０号公報
【特許文献２】実開平７−１８２１９号公報
【発明の開示】
【発明が解決しようとする課題】
【０００４】
前述した特許文献に示された取付具は、ガスメータとガスメータコントローラとを取り付けるために複雑な形状に打ち抜き加工が施されたり、曲げ加工が施されている。このため、前述した特許文献に示された取付具は、製造に係る工数や工程が増加して、コストが高騰する傾向であった。
【０００５】
したがって、本発明の目的は、低コスト化を図ることができる取付具を提供することである。
【課題を解決するための手段】
【０００６】
前述した課題を解決し目的を達成するために、請求項１記載の本発明の取付具は、ガスメータに接続される機器を配管に取り付けるための取付具において、矩形の平板状に形成された平板部と、前記平板部の幅方向に間隔をあけて設けられかつ当該平板部の幅方向と長手方向が平行な一対の長孔を有した配管固定部と、内側に前記配管を通しかつ両端部が前記配管固定部の前記長孔内に通されて締結部材が締結される固定具と、前記平板部の隅部に設けられかつ前記ガスメータに接続される機器と接続した電線を固定する電線固定部と、を備え、前記配管固定部が、前記平板部の長手方向の両端部に設けられていることを特徴としている。
【０００７】
請求項２に記載の本発明の取付具は、請求項１に記載の取付具において、前記平板部に設けられかつ前記ガスメータに接続される機器を前記平板部に固定する機器固定部を備え、前記機器固定部が、前記配管固定部の前記一対の長孔間の中心を通る線分から間隔をあけた位置に設けられていることを特徴としている。
【０００８】
請求項３に記載の本発明の取付具は、請求項２に記載の取付具において、前記機器固定部が、前記平板部から立設しかつ内周面にねじ溝が形成された円筒状のバーリングを備えていることを特徴としている。
【発明の効果】
【００１０】
請求項１に記載の本発明は、平板部が矩形の平板状に形成されているので、当該平板部即ち取付具の形状を簡略化することができる。したがって、製造にかかる工数や工程が増加することを防止でき、低コスト化を図ることができる。
【００１１】
また、配管固定部が、長手方向が平板部の幅方向と平行でかつ当該幅方向に間隔をあけた一対の長孔を備えているので、固定具が長孔内を通る位置を適宜変更することで、種々の外径の配管に取付具を取り付けることが可能となる。
【００１２】
さらに、配管固定部を平板部の長手方向の両端部に設けているので、配管に対してぐらつくことなく平板部を配管に取り付けることができる。また、平板部の隅部に電線固定部を設けているので、配管固定部や機器固定部に干渉することなく電線を平板部に固定することができる。
【００１３】
請求項２に記載の本発明は、機器固定部が、配管固定部の一対の長孔間の中心を通す線分から間隔をあけて配置されているので、配管に干渉することなく平板部にガスメータコントローラを取り付けることができる。
【００１４】
請求項３に記載の本発明は、機器固定部が円筒状のバーリングを備えているので、当該機器固定部の形状を複雑にする必要が生じない。したがって、取付具のより一層の低コスト化を図ることができる。
【発明を実施するための最良の形態】
【００１６】
以下、本発明の一実施形態を、図１乃至図５に基づいて説明する。図１は、本発明の一実施形態にかかる取付具が配管にガスメータに接続される機器としてのガスメータコントローラを取り付けた状態の正面図であり、図２は、図１に示された取付具などの側面図であり、図３は、図１に示された取付具の正面図であり、図４及び図５は各々図１中の要部の断面図である。
【００１７】
図１に示された取付具１は、ガスメータに接続される機器としてのガスメータコントローラ２を建造物の外壁に沿って配置されるガスなどを通す配管３に取り付けるために用いられる。ガスメータコントローラ２は、電子機器のガスメータと接続しており、当該電子式のガスメータが検知したガスの流量やガスの流量異常などのセキュリティ情報をガスメーカ（会社）に通報する装置である。また、図示例では、配管３は、鉛直方向に沿って直線状に延在している。
【００１８】
取付具１は、図１及び図２に示すように、平面形状が矩形の平板状に形成された平板部４と、一対の配管固定部５と、一対の固定具としてのＵ字ボルト６と、機器固定部７と、電線固定部８とを備えている。
【００１９】
配管固定部５は、図３に示すように、平板部４の長手方向の両端部に設けられている。配管固定部５は、それぞれ、一対の長孔９を備えている。長孔９は、それぞれ、平面形状が、隅が円弧状の矩形状に形成されている。一対の長孔９は、平板部４の幅方向（長手方向に直交する方向）に沿って、互いに間隔をあけて配置されている。また、一対の長孔９は、それぞれ、長手方向が平板部４の幅方向と平行に配置されている。さらに、図示例では、配管固定部５は、一対の長孔９間の中心を通る線分Ｐ（図３中に一点鎖線で示す）が、平板部４の長手方向と平行となる位置に配置されている。
【００２０】
Ｕ字ボルト６は、図４に示すように、側方からみてＵ字状に形成されており、両端部の外周面にねじ溝が形成されている。Ｕ字ボルト６は、その内側に配管３を通しかつ両端部が長孔９内に通される。そして、Ｕ字ボルト６は、その両端部に締結部材としてのナット１０が螺合（締結）して、当該ナット１０との間に平板部４及び配管３を挟みこんで、配管３に平板部４即ち取付具１を固定する。
【００２１】
機器固定部７は、平板部４の中央部に設けられ、かつ一対のバーリング１１を備えている。これら一対のバーリング１１は、図５に示すように、平板部４の長手方向に沿って互いに間隔をあけて配置されている。バーリング１１は、内側が貫通しかつ平板部４から配管３に向かって立設した円筒状に形成されている。また、バーリング１１は、その内周面にねじ溝が形成されており、ねじ１２などが螺合する。機器固定部７は、ガスメータコントローラ２の取付片２ａの通し孔２ｂ（図５に示す）内を通ったねじ１２が螺合して、当該ねじ１２の頭と平板部４との間に取付片２ａを挟みこむことで、ガスメータコントローラ２を平板部４即ち取付具１に固定する。また、機器固定部７の各バーリング１１は、前述した線分Ｐと間隔をあけた位置に配置されている。
【００２２】
電線固定部８は、平板部４の各隅部に設けられた丸孔１３を備えている。即ち、電線固定部８は、丸孔１３を四つ備えている。丸孔１３は、勿論、平板部４を貫通している。電線固定部８は、ガスメータコントローラ２に接続した電線１４にまかれたバンド１５（図１に示す）を内側に通して、当該バンドが結ばれることで、当該電線１４を固定する。電線固定部８は、丸孔１３が平板部４の隅部に設けられているので、電線１４を平板部４の外縁部に沿って配索（配線）する。
【００２３】
前述した取付具１は、内側に配管３を通したＵ字ボルト６の両端部を長孔９内に通して、当該Ｕ字ボルト６の両端部にナット１０を螺合させて、平板部４を配管３に取り付ける。そして、ガスメータコントローラ２の取付片２ａの通し孔２ｂ内にねじ１２を通し、当該ねじ１２をバーリング１１にねじ込むことで、平板部４にガスメータコントローラ２を取り付ける。そして、電線１４に巻いたバンド１５を丸孔１３内に通って結んで、当該電線１４を平板部４の外縁部に取り付ける。こうして、前述した構成の取付具１は、配管３にガスメータコントローラ２を取り付ける。
【００２４】
本実施形態によれば、平板部４が矩形の平板状に形成されているので、当該平板部４即ち取付具１の形状を簡略化することができる。したがって、取付具１の製造にかかる工数や工程が増加することを防止でき、低コスト化を図ることができる。
【００２５】
また、配管固定部５が、長手方向が平板部４の幅方向と平行でかつ当該幅方向に間隔をあけた一対の長孔９を備えているので、Ｕ字ボルト６の両端部が長孔９内を通る位置を適宜変更することで、種々の外径の配管３に取付具１を取り付けることが可能となる。
【００２６】
さらに、配管固定部５を平板部４の長手方向の両端部に設けているので、配管３に対してぐらつくことなく平板部４を配管に取り付けることができる。したがって、ガスメータコントローラ２を配管３に確実に取り付けることができる。
【００２７】
機器固定部７が、配管固定部５の一対の長孔９間の中心を通す線分Ｐから間隔をあけて配置されているので、配管３に干渉することなく平板部４にガスメータコントローラ２を取り付けることができる。
【００２８】
機器固定部７が円筒状のバーリング１１を備えているので、当該機器固定部７の形状を複雑にする必要が生じない。したがって、取付具１のより一層の低コスト化を図ることができる。
【００２９】
平板部４の隅部に電線固定部８の丸孔１３を設けているので、配管固定部５や機器固定部７に干渉することなくガスメータコントローラ２に接続した電線１４を平板部４に固定することができる。
【００３０】
前述した実施形態では、固定具としてＵ字ボルト６を示している。しかしながら、本発明では、図６に示すように、固定具２０を、樹脂サドル２１と一対のねじ２２とで構成しても良い。
【００３１】
樹脂サドル２１は、内側に配管３を通す環状の環状部２３と、この環状部２３から互いに離れる方向に突出した固定片２４とを備えている。ねじ２２は、固定片２４に設けられた図示しない通し孔内を通って、ナット１０が締結される。固定具２０は、樹脂サドル２１の環状部２３内に配管を通し、固定片２４が平板部４に重ねられて、通し孔内を通ったねじ２２がナットに締結されて、平板部４即ち取付具１を配管３に固定する。なお、ねじ２２のねじ部が特許請求の範囲の固定具の両端部に相当する。
【００３２】
前述した実施形態では、ガスメータに接続される機器としてのガスメータコントローラ２を示している。しかしながら、本発明では、ガスメータコントローラ２に限らず種々のガスメータに接続される機器に適用しても良いことは勿論である。
【００３３】
なお、前述した実施形態は本発明の代表的な形態を示したに過ぎず、本発明は、実施形態に限定されるものではない。即ち、本発明の骨子を逸脱しない範囲で種々変形して実施することができる。例えば、長孔９の形状や、機器固定部７の構成、電線固定部８、固定具及び締結部材の構成や材質など種々変更しても良いことは勿論である。
【図面の簡単な説明】
【００３４】
【図１】本発明の一実施形態にかかる取付具を用いて配管にガスメータコントローラを取り付けた状態を示す正面図である。
【図２】図１に示されたガスメータコントローラなどの側面図である。
【図３】図１に示された取付具の正面図である。
【図４】図１中のＩＶ−ＩＶ線に沿う断面図である。
【図５】図１中のＶ−Ｖ線に沿う断面図である。
【図６】図４に示された取付具の変形例の断面図である。
【符号の説明】
【００３５】
１  取付具
２  ガスメータコントローラ（ガスメータに接続される機器）
３  配管
４  平板部
５  配管固定部
６  Ｕ字ボルト（固定具）
７  機器固定部
８  電線固定部
９  長孔
１０  ナット（締結部材）
１１  バーリング
１４  電線
２０  固定具
【図１】
0005126885.tif 000002
【図２】
0005126885.tif 000003
【図３】
0005126885.tif 000004
【図４】
0005126885.tif 000005
【図５】
0005126885.tif 000006
【図６】
0005126885.tif 000007